(57)【要約】      （修正有）【課題】衣類の着用回数を記録していないと、自分が思っているよりも少ない着用回数でクリーニングへ出してしまい、無駄な出費と労力になってしまう。また、逆に自分が思っている着用回数よりも多く着てしまい、汗染みや汚れ等が取れなくなってしまう事がある。このため、着用回数を簡易に把握できる手段を設けたハンガーを提供する。【解決手段】ハンガー本体１に衣類の着用回数を示すカウント機能を付ける。例えば、前記ハンガー本体に形成されるフックと、このフックが被係止具に係止するための開口に突設されて前記被係止具に当接するための当接部品と、この当接部品の前記当接の回数をカウントするカウンター機構と、前記カウントされた回数を表示する表示手段をハンガー本体に組み込む方法がある。衣類を掛けたハンガーを被係止具に係止するだけで、前記当接部品が倒れ、すなわち衣類を着用した回数が前記表示窓を通して認識できるようになる。【選択図】図１
2018075329.tif 000002
【特許請求の範囲】
【請求項１】
ハンガー本体と、前記ハンガー本体に形成されるフックと、このフックが被係止具に係止するための開口に突設されて前記被係止具に当接するための当接部品と、この当接部品の前記当接の回数をカウントするカウンター機構と、前記カウントされた回数を表示する表示手段と、を有することを特徴とするカウント機能付ハンガー。
【請求項２】
前記被係止具は棒状であり、前記当接部品は前記棒状の被係止具に当接して前記フックの前記開口へ押し込まれて回動する当接部品であり、前記カウンター機構は前記当接部品の一回の回動により一定角度回動する数字盤を有してなり、前記表示手段は前記数字盤の周辺に描かれた連続数字と、この連続数字のうちの一つを露出させる窓とを有してなることを特徴とする請求項１記載のカウント機能付ハンガー。
【発明の詳細な説明】
【技術分野】
【０００１】  この発明は、衣類の着用回数を記録するための器具に関する。
【背景技術】
【０００２】  衣類の着用回数を記録していないと、自分が思っているよりも少ない着用回数でクリーニングへ出してしまい、無駄な出費と労力になってしまう。また、逆に自分が思っている着用回数よりも多く着てしまい、汗染みや汚れ等が取れなくなってしまう事がある。【０００３】  先行技術である特許文献１は、ハンガーのフックの根本に衣類の着用回数を示す器具を取り付ける方式である。図７に示す内側と記載された部品の側面には連続数字が記載されており、その部品に図７に示す外側と記載された部品が被さっている。衣類の着用の度に、図７の外側の部品を回すことで図７に示す３の窓から衣類の着用回数を露出させる。【０００４】  また、先行技術である特許文献２は、ハンガーに衣類の着用回数を示すベルトを取り付ける方式である。衣類を着用したら、図８のａに示す突起を図８のｂに示す穴に入れ、着用回数を増すたびに数字の大きい穴へ突起をずらしていく。
【先行技術文献】
【特許文献】
【０００５】
【特許文献１】特開２０００−１９４８２４号公報
【特許文献２】実登３１４４４７２号公報
【発明の概要】
【発明が解決しようとする課題】
【０００６】  しかしながら、以上の技術によれば、衣類の着用回数を記録する為の作業が伴う。その作業は手間であり、記録の作業自体を忘れる恐れもある。そこで、この発明は、従来通りハンガーに衣類を掛け、そのハンガーを被係止具に係止するだけで衣類の着用回数を記録できる仕組みを提供することを課題とする。
【課題を解決するための手段】
【０００７】  以上の課題を解決するために、第一発明は、ハンガー本体と、ハンガー本体に形成されるフックと、このフックが被係止具に係止するための開口に突設されて被係止具に当接するための当接部品と、この当接部品の当接の回数をカウントするカウンター機構と、カウントされた回数を表示する表示手段と、を有することを特徴とするカウント機能付ハンガーである。【０００８】  また、第二発明は、前記被係止具は棒状であり、前記当接部品は前記棒状の被係止具に当接して前記フックの前記開口へ押し込まれて回動する当接部品であり、前記カウンター機構は前記当接部品の一回の回動により一定角度回動する数字盤を有してなり、前記表示手段は前記数字盤の周辺に描かれた連続数字と、この連続数字のうちの一つを露出させる窓とを有してなることを特徴とするカウント機能付ハンガーである。
【発明の効果】
【０００９】  第一発明、または第二発明によれば、ハンガーのフック部分のやや下に数字を加算する装置へ連動する部品を付けたことにより、ハンガーを被係止具に係止するだけで衣類の着用回数を記録できる。
【図面の簡単な説明】
【００１０】
【図１】この発明の一実施形態を示す正面図である。
【図２】この発明の一実施形態を示す部分拡大断面図である。
【図３】この発明の一実施形態を示す部品５を拡大して裏から見た図である。
【図４】この発明の他の実施形態（スラックス用）を示す正面図である。
【図５】この発明の他の実施形態（スカート用）を示す正面図である。
【図６】この発明の他の実施形態（上下スーツ用）を示す正面図である。
【図７】この発明の従来技術（特許文献１）を示す立体図である。
【図８】この発明の従来技術（特許文献２）を示す正面図、側面図、立体図である。
【発明を実施するための形態】
【００１１】  この発明の一実施形態を、図１、図２、図３に示す。
ねじりばね１１、１４、ぜんまいばね１９、被係止具２３は金属製、部品６はシリコン製で、それ以外の符号の素材は全て樹脂製である。被係止具２３は一般的なハンガー等を係止する棒状の物体である。
【００１２】  当接部品４は、フック２を被係止具２３に係止したり外したりする際、本体１から伸びている円柱の突起８を支点にして可動する。被係止具２３が当接部品４から離れる際、当接部品４は、ねじりばね１１、１４の作用によって毎回図２の位置に戻る。このねじりばね１１、１４の折れ曲がった内角の部分（金属が螺旋状に巻いてある部分）は、本体から伸びる円柱の突起１２、１５にそれぞれはまっている。また、ねじりばね１１は、ストッパー９から伸びている円柱の突起１８と当接部品４から伸びている円柱の突起１０に接しており、ねじりばね１４は、本体１から伸びている円柱の突起１６と当接部品４から伸びている円柱の突起１０にそれぞれ接している。
【００１３】  フック２を被係止具２３に係止する場合、当接部品４は、支点となっている突起８より上が図２の右側に、突起８より下が図２の左側に可動する。この時、当接部品４の最下部に付いている部品６も左方向に可動し、衣類の着用回数を示す数字盤５の側面にある歯の部分を押し、数字盤５を反時計回りに回転させる。数字盤５は本体１から伸びる円柱の突起１７にはまっており、裏側には、図３に示すぜんまいばね１９が設置されていて、数字盤５を常に時計回りに回そうとする作用が働いている。ぜんまいばね１９の両端（２０、２２）は金属が１回転して丸まっている部分で、２０は本体から伸びた円柱の突起に、２２は数字盤５から伸びた円柱の突起にそれぞれはまっている。
【００１４】  ストッパー９は、数字盤５を時計回りに回そうとするぜんまいばね１９の作用を防止している。また、ストッパー９は、本体１から伸びている円柱の突起７を支点として可動する部品で、ねじりばね１１の作用によって常に数字盤５へ押し当てられており、数字盤５の側面についている歯を１つずつ順番に止める役割を担っている。
【００１５】  衣類の着用回数の表示は、当接部品４の最上部を手で意図的に下側へ下ろすことで０にリセットできる。当接部品４と一体となっている部分１３は、普段本発明品を被係止具２３から外す場合には、ストッパー９から伸びる突起１８と接触しないが、当接部品４の最上部を意図的に下まで下げた時に、１３と突起１８が当たる配置となっている。当接部品４の一部１３とストッパー９の突起１８が接触すると、突起７を支点としてストッパー９が数字盤５から離され、ぜんまいばね１９の作用によって数字盤５が時計回りに回転し、最終的に０の表示が頂点となった時に回転が止まる。数字盤５の頂点が０の表示になった時に回転が止まる仕組みは、数字盤５の裏から伸びている直方体の突起２１と、本体から伸びている直方体の突起が、ちょうど数字盤５の表示０が頂点に来た時に接触するよう配置されている為である。数字盤５の頂点に来た数字は、常に図１の表示窓３から見える。
【００１６】「実施形態の効果」
この実施形態によれば、ハンガーのフック２の下に数字を加算するための装置に連動する当接部品４を付けたことにより、ハンガーを被係止具に係止するだけで衣類の着用回数を記録できる。よって衣類の着用回数を記録する手間が省け、記録の付け忘れも防止することができる。
【００１７】  さらにフック２は水平方向に回転するので、１度手に取ったが着用をやめた衣類や空となった本発明品など、着用回数にカウントしたくない場合に、当接部品４とずらしてハンガーを被係止具２３へ係止できる機構を有する。
「他の実施形態」
【００１８】  図１の実施形態では、符号の箇所が全て樹脂製であったが、他の実施形態では、木製や金属製等、その他の素材を使用しても良い。また、図１の実施形態では、本体１はごく一般的なハンガーの形状であったが、他の実施形態では、図４に示すスラックス用、図５に示すスカート用、図６に示す上下スーツ用等、その他衣類の用途に応じて形状を変えたものでも良い。
【００１９】  図２の実施形態では、当接部品４やストッパー９等の機構を用いて数字盤５を回転させて衣類の着用回数を表していたが、他の実施形態では、デジタル表示等、他の機構を用いて衣類の着用回数を加算する方式でも良い。また、図２の実施形態では、数字盤５の数字が１〜１５までであったが、他の実施形態では、数字はいくつでも良い。
【００２０】  図３の実施形態では、ぜんまいばね１９で着用回数をリセットする力量を得ていたが、他の実施形態では、ゴムやモーター等、その他の部品を用いても良い。
【符号の説明】
【００２１】１    ハンガー本体
２    水平方向に回転するフック
３    衣類の着用回数を表す為の表示窓
４    ハンガーを被係止具に係止した時に倒れる当接部品
５    衣類の着用回数を表すための数字盤
６    数字盤５を回転させる部品
７    本体１から伸びており、ストッパー９の支点となっている円柱の突起
８    本体１から伸びており、当接部品４の支点となっている円柱の突起
９    数字盤５を止めるためのストッパー
１０  当接部品４から伸びおり、ねじりばね１４を支える円柱の突起
１１  ストッパー９と当接部品４を支えるためのねじりばね
１２  本体１から伸びており、ねじりばね１１がはまっている円柱の突起
１３  ストッパー９に接触する当接部品４の一部
１４  当接部品４を支えるためのねじりばね
１５  本体１から伸びており、ねじりばね１４がはまっている円柱の突起
１６  本体１から伸びており、ねじりばね１４を支えている円柱の突起
１７  本体１から伸びており、数字盤５がはまっている円柱の突起
１８  ストッパー９から伸びており、ねじりばね１１を支えている円柱の突起
１９  数字盤５を時計回りにまわすための力を発生させるぜんまいばね
２０  ぜんまいばね１９の先端を１回転させた部分
２１  数字盤５と一体になっている直方体の部分
２２  ぜんまいばね１９の先端を１回転させた部分
２３  棒状の被係止具
２４  スカートのウエスト部分を留めるためのピンチ
【図１】
2018075329.tif 000003
【図２】
2018075329.tif 000004
【図３】
2018075329.tif 000005
【図４】
2018075329.tif 000006
【図５】
2018075329.tif 000007
【図６】
2018075329.tif 000008
【図７】
2018075329.tif 000009
【図８】
2018075329.tif 000010